(57)【要約】  車両用表示制御装置は、自車両の周辺に存在する周辺車両の将来の行動を予測し、前記予測した将来の行動がとられる可能性を定量化した指標値を導出する予測導出部と、前記予測導出部により導出された前記周辺車両ごとの将来の行動がとられる可能性を定量化した指標値に基づく画像要素を前記周辺車両に対応付けた画像を、表示部に表示させる表示制御部とを備える。
2018096644.tif 000002
【特許請求の範囲】
【請求項１】
自車両の周辺に存在する周辺車両の将来の行動を予測し、前記予測した将来の行動がとられる可能性を定量化した指標値を導出する予測導出部と、
前記予測導出部により導出された前記周辺車両ごとの将来の行動がとられる可能性を定量化した指標値に基づく画像要素を前記周辺車両に対応付けた画像を、表示部に表示させる表示制御部と、
を備える車両用表示制御装置。
【請求項２】
前記予測導出部は、前記周辺車両の複数の将来の行動を予測し、前記予測した複数の将来の行動ごとに前記指標値を導出し、
前記表示制御部は、前記予測導出部により導出された前記周辺車両の将来の行動ごとの指標値に基づく画像要素を前記周辺車両に対応付けた画像を、前記表示部に表示させる、
請求項１記載の車両用表示制御装置。
【請求項３】
前記表示制御部は、前記周辺車両の複数の将来の行動のうち、前記自車両に対する影響の度合が基準値よりも低い方向の行動と、前記自車両に対する影響の度合が前記基準値よりも高い方向の行動とで、対応する前記画像要素の表現態様を変更する、
請求項２記載の車両用表示制御装置。
【請求項４】
前記表示制御部は、前記周辺車両の複数の将来の行動のうち、前記自車両に対する影響の度合が基準値よりも高い方向の行動に対応した前記指標値に基づく画像要素を前記周辺車両に対応付けた画像を、前記表示部に表示させる、
請求項２記載の車両用表示制御装置。
【請求項５】
前記表示制御部は、更に、前記周辺車両の複数の将来の行動のうち、前記自車両に対する影響の度合が前記基準値よりも低い方向の行動に対応した前記指標値に基づく画像要素を前記周辺車両に対応付けた画像を、前記表示部に表示させる、
請求項４記載の車両用表示制御装置。
【請求項６】
前記自車両に対する影響の度合が前記基準値よりも高い方向の行動は、前記周辺車両が前記自車両に対して相対的に接近する行動である、
請求項３記載の車両用表示制御装置。
【請求項７】
前記自車両に対する影響の度合が前記基準値よりも高い方向の行動は、前記周辺車両が前記自車両の前方に割り込む行動である、
請求項３記載の車両用表示制御装置。
【請求項８】
前記表示制御部は、前記予測導出部により導出された周辺車両ごとの将来の行動に対応した前記指標値が変化するのに対して段階的または連続的に、前記画像要素の表現態様を変更する、
請求項１記載の車両用表示制御装置。
【請求項９】
前記予測導出部は、前記自車両に対する影響の度合いが基準値よりも大きい周辺車両について、将来の行動を予測する、
請求項１記載の車両用表示制御装置。
【請求項１０】
前記自車両に対する影響の度合いが基準値よりも大きい周辺車両は、
前記自車両の直前を走行する前走車両と、
前記自車両が走行する車線に隣接する車線において、前記自車両の前方を走行する車両、または前記自車両と並走する車両と、
のうち少なくともいずれかの車両を含む、
請求項９に記載の車両用表示制御装置。
【請求項１１】
前記予測導出部は、前記自車両と前記周辺車両との相対速度、前記自車両と前記周辺車両との間の車間距離、または前記周辺車両の加減速度に基づいて、前記指標値を導出する、
請求項１記載の車両用表示制御装置。
【請求項１２】
前記予測導出部は、前記周辺車両が走行する車線の状況に基づいて、前記指標値を導出する、
請求項１記載の車両用表示制御装置。
【請求項１３】
表示部を備えた車両に搭載された車載コンピュータが、
自車両の周辺に存在する周辺車両の将来の行動を予測し、
前記予測した将来の行動がとられる可能性を定量化した指標値を導出し、
前記導出した前記周辺車両ごとの将来の行動がとられる可能性を定量化した指標値に基づく画像要素を前記周辺車両に対応付けた画像を、前記表示部に表示させる、
車両用表示制御方法。
【請求項１４】
表示部を備えた車両に搭載された車載コンピュータに、
自車両の周辺に存在する周辺車両の将来の行動を予測する処理と、
前記予測した将来の行動がとられる可能性を定量化した指標値を導出する処理と、
前記導出した前記周辺車両ごとの将来の行動がとられる可能性を定量化した指標値に基づく画像要素を前記周辺車両に対応付けた画像を、前記表示部に表示させる処理と、
を実行させる車両用表示制御プログラム。
【発明の詳細な説明】
【技術分野】
【０００１】
本発明は、車両用表示制御装置、車両用表示制御方法、および車両用表示制御プログラムに関する。
【背景技術】
【０００２】
従来、自車両の周辺に存在する車両の行動を予測する技術が知られている（例えば、特許文献１参照）。
【先行技術文献】
【特許文献】
【０００３】
【特許文献１】特開２０１５−２３０５１１号公報
【発明の概要】
【発明が解決しようとする課題】
【０００４】
しかしながら、従来の技術では、予測された周辺の車両の行動を自車両の乗員が把握することなく、加減速などの自車両の制御が行われる場合があった。この結果、車両の乗員が不安を感じる場合があった。【０００５】
本発明は、このような事情を考慮してなされたものであり、車両乗員に安心感を与えることができる車両用表示制御装置、車両用表示制御方法、および車両用表示制御プログラムを提供することを目的の一つとする。
【課題を解決するための手段】
【０００６】
請求項１記載の発明は、自車両の周辺に存在する周辺車両の将来の行動を予測し、前記予測した将来の行動がとられる可能性を定量化した指標値を導出する予測導出部と、前記予測導出部により導出された前記周辺車両ごとの将来の行動がとられる可能性を定量化した指標値に基づく画像要素を前記周辺車両に対応付けた画像を、表示部に表示させる表示制御部と、を備える車両用表示制御装置である。【０００７】
請求項２記載の発明は、請求項１に記載の車両用表示制御装置において、前記予測導出部が、前記周辺車両の複数の将来の行動を予測し、前記予測した複数の将来の行動ごとに前記指標値を導出し、前記表示制御部が、前記予測導出部により導出された前記周辺車両の将来の行動ごとの指標値に基づく画像要素を前記周辺車両に対応付けた画像を、前記表示部に表示させるものである。【０００８】
請求項３記載の発明は、請求項２に記載の車両用表示制御装置において、前記表示制御部が、前記周辺車両の複数の将来の行動のうち、前記自車両に対する影響の度合が基準値よりも低い方向の行動と、前記自車両に対する影響の度合が前記基準値よりも高い方向の行動とで、対応する前記画像要素の表現態様を変更するものである。【０００９】
請求項４記載の発明は、請求項２に記載の車両用表示制御装置において、前記表示制御部が、前記周辺車両の複数の将来の行動のうち、前記自車両に対する影響の度合が基準値よりも高い方向の行動に対応した前記指標値に基づく画像要素を前記周辺車両に対応付けた画像を、前記表示部に表示させるものである。【００１０】
請求項５記載の発明は、請求項４に記載の車両用表示制御装置において、前記表示制御部が、更に、前記周辺車両の複数の将来の行動のうち、前記自車両に対する影響の度合が前記基準値よりも低い方向の行動に対応した前記指標値に基づく画像要素を前記周辺車両に対応付けた画像を、前記表示部に表示させるものである。【００１１】
請求項６記載の発明は、請求項３に記載の車両用表示制御装置において、前記自車両に対する影響の度合が前記基準値よりも高い方向の行動が、前記周辺車両が前記自車両に対して相対的に接近する行動であるものである。【００１２】
請求項７記載の発明は、請求項３に記載の車両用表示制御装置において、前記自車両に対する影響の度合が前記基準値よりも高い方向の行動が、前記周辺車両が前記自車両の前方に割り込む行動であるものである。【００１３】
請求項８記載の発明は、請求項１に記載の車両用表示制御装置において、前記表示制御部が、前記予測導出部により導出された周辺車両ごとの将来の行動に対応した前記指標値が変化するのに対して段階的または連続的に、前記画像要素の表現態様を変更するものである。【００１４】
請求項９記載の発明は、請求項１に記載の車両用表示制御装置において、前記予測導出部が、前記自車両に対する影響の度合いが基準値よりも大きい周辺車両について、将来の行動を予測するものである。【００１５】
請求項１０記載の発明は、請求項９に記載の車両用表示制御装置において、前記自車両に対する影響の度合いが基準値よりも大きい周辺車両が、前記自車両の直前を走行する前走車両と、前記自車両が走行する車線に隣接する車線において、前記自車両の前方を走行する車両、または前記自車両と並走する車両とのうち少なくともいずれかの車両を含むものである。【００１６】
請求項１１記載の発明は、請求項１に記載の車両用表示制御装置において、前記予測導出部が、前記自車両と前記周辺車両との相対速度、前記自車両と前記周辺車両との間の車間距離、または前記周辺車両の加減速度に基づいて、前記指標値を導出するものである。【００１７】
請求項１２記載の発明は、請求項１に記載の車両用表示制御装置において、前記予測導出部が、前記周辺車両が走行する車線の状況に基づいて、前記指標値を導出するものである。【００１８】
請求項１３記載の発明は、表示部を備えた車両に搭載された車載コンピュータが、自車両の周辺に存在する周辺車両の将来の行動を予測し、前記予測した将来の行動がとられる可能性を定量化した指標値を導出し、前記導出した前記周辺車両ごとの将来の行動がとられる可能性を定量化した指標値に基づく画像要素を前記周辺車両に対応付けた画像を、前記表示部に表示させる車両用表示制御方法である。【００１９】
請求項１４記載の発明は、表示部を備えた車両に搭載された車載コンピュータに、自車両の周辺に存在する周辺車両の将来の行動を予測する処理と、前記予測した将来の行動がとられる可能性を定量化した指標値を導出する処理と、前記導出した前記周辺車両ごとの将来の行動がとられる可能性を定量化した指標値に基づく画像要素を前記周辺車両に対応付けた画像を、前記表示部に表示させる処理とを実行させる車両用表示制御プログラムである。
【発明の効果】
【００２０】
各請求項に記載の発明によれば、自車両の周辺に存在する周辺車両の将来の行動を予測し、予測した将来の行動がとられる可能性を定量化した指標値を導出し、導出した周辺車両ごとの将来の行動がとられる可能性を定量化した指標値に基づく画像要素を周辺車両に対応付けた画像を、表示部に表示させることにより、車両乗員に安心感を与えることができる。
【図面の簡単な説明】
【００２１】
【図１】第１実施形態における車両用表示制御装置１００を含む車両システム１の構成図である。
【図２】第１実施形態における車両用表示制御装置１００による一連の処理の流れの一例を示すフローチャートである。
【図３】監視車両の基準点を中心とした方位を所定角度ごとに区画したときの生起確率の一例を示す図である。
【図４】表示装置３０ａに表示される画像の一例を示す図である。
【図５】方位角ごとの生起確率について、より具体的に説明するための図である。
【図６】方位角ごとの生起確率について、より具体的に説明するための図である。
【図７】車線の状況に基づいて監視車両の行動を予測する場面において、表示装置３０ａに表示される画像の一例を示す図である。
【図８】表示装置３０ａに表示される画像の他の例を示す図である。
【図９】フロントウインドシールドに投影される画像の一例を示す図である。
【図１０】表示装置３０ａに表示される画像の他の例を示す図である。
【図１１】監視車両の基準点を中心とした方位を所定角度ごとに区画したときの生起確率の他の例を示す図である。
【図１２】第２実施形態における車両システム１Ａの構成図である。
【図１３】自車位置認識部３２２により走行車線Ｌ１に対する自車両Ｍの相対位置および姿勢が認識される様子を示す図である。
【図１４】推奨車線に基づいて目標軌道が生成される様子を示す図である。
【図１５】予測導出部３５１による予測結果に基づいて目標軌道を生成する様子の一例を示す図である。
【発明を実施するための形態】
【００２２】
以下、図面を参照し、本発明の車両用表示制御装置、車両用表示制御方法、および車両用表示制御プログラムの実施形態について説明する。
【００２３】
＜第１実施形態＞
図１は、第１実施形態における車両用表示制御装置１００を含む車両システム１の構成図である。車両システム１が搭載される車両は、例えば、二輪や三輪、四輪等の車両であり、その駆動源は、ディーゼルエンジンやガソリンエンジンなどの内燃機関、電動機、或いはこれらの組み合わせである。電動機は、内燃機関に連結された発電機による発電電力、或いは二次電池や燃料電池の放電電力を使用して動作する。
【００２４】
車両システム１は、例えば、カメラ１０と、レーダ装置１２と、ファインダ１４と、物体認識装置１６と、通信装置２０と、ＨＭＩ（Human Machine Interface）３０と、車両センサ４０と、車両用表示制御装置１００とを備える。これらの装置や機器は、ＣＡＮ（Controller Area Network）通信線等の多重通信線やシリアル通信線、無線通信網等によって互いに接続される。なお、図１に示す構成はあくまで一例であり、構成の一部が省略されてもよいし、更に別の構成が追加されてもよい。
【００２５】
カメラ１０は、例えば、ＣＣＤ（Charge Coupled Device）やＣＭＯＳ（Complementary Metal Oxide Semiconductor）等の固体撮像素子を利用したデジタルカメラである。カメラ１０は、車両システム１が搭載される車両（以下、自車両Ｍと称する）の任意の箇所に一つまたは複数が取り付けられる。前方を撮像する場合、カメラ１０は、フロントウインドシールド上部やルームミラー裏面等に取り付けられる。カメラ１０は、例えば、周期的に繰り返し自車両Ｍの周辺を撮像する。カメラ１０は、ステレオカメラであってもよい。
【００２６】
レーダ装置１２は、自車両Ｍの周辺にミリ波などの電波を放射すると共に、物体によって反射された電波（反射波）を検出して少なくとも物体の位置（距離および方位）を検出する。レーダ装置１２は、自車両Ｍの任意の箇所に一つまたは複数が取り付けられる。レーダ装置１２は、ＦＭ−ＣＷ（Frequency Modulated Continuous Wave）方式によって物体の位置および速度を検出してもよい。
【００２７】
ファインダ１４は、照射光に対する散乱光を測定し、対象までの距離を検出するＬＩＤＡＲ（Light Detection and Ranging、或いはLaser Imaging Detection and Ranging）である。ファインダ１４は、自車両Ｍの任意の箇所に一つまたは複数が取り付けられる。
【００２８】
物体認識装置１６は、カメラ１０、レーダ装置１２、およびファインダ１４のうち一部または全部による検出結果に対してセンサフュージョン処理を行って、物体の位置、種類、速度などを認識する。物体認識装置１６は、認識結果を車両用表示制御装置１００に出力する。
【００２９】
通信装置２０は、例えば、セルラー網やＷｉ−Ｆｉ網、Ｂｌｕｅｔｏｏｔｈ（登録商標）、ＤＳＲＣ（Dedicated Short Range Communication）などを利用して、自車両Ｍの周辺に存在する他車両（周辺車両の一例）と通信し、或いは無線基地局を介して各種サーバ装置と通信する。
【００３０】
ＨＭＩ３０は、自車両Ｍの乗員に対して各種情報を提示すると共に、乗員による入力操作を受け付ける。ＨＭＩ３０は、例えば、表示装置３０ａを備える。また、ＨＭＩ３０は、スピーカ、ブザー、タッチパネル、スイッチ、キー（いずれも不図示）などを備えていてもよい。
【００３１】
表示装置３０ａは、例えば、インストルメントパネルの各部、助手席や後部座席に対向する任意の箇所などに取り付けられる、ＬＣＤ（Liquid Crystal Display）や有機ＥＬ（Electroluminescence）表示装置などである。また、表示装置３０ａは、フロントウインドシールドやその他のウインドウに画像を投影するＨＵＤ（Head Up Display）であってもよい。表示装置３０ａは、「表示部」の一例である。
【００３２】
車両センサ４０は、自車両Ｍの速度を検出する車速センサ、加速度を検出する加速度センサ、鉛直軸回りの角速度を検出するヨーレートセンサ、自車両Ｍの向きを検出する方位センサ等を含む。車両センサ４０は、検出した情報（速度、加速度、角速度、方位等）を車両用表示制御装置１００に出力する。
【００３３】
車両用表示制御装置１００は、例えば、外界認識部１０１と、予測導出部１０２と、表示制御部１０３とを備える。これらの構成要素の一部または全部は、例えば、ＣＰＵ（Central Processing Unit）などのプロセッサがプログラム（ソフトウェア）を実行することで実現される。また、これらの構成要素の一部または全部は、ＬＳＩ（Large Scale Integration）やＡＳＩＣ（Application Specific Integrated Circuit）、ＦＰＧＡ（Field-Programmable Gate Array）などのハードウェアによって実現されてもよいし、ソフトウェアとハードウェアの協働によって実現されてもよい。
【００３４】
以下、フローチャートに即して、車両用表示制御装置１００の各構成要素について説明する。図２は、第１実施形態における車両用表示制御装置１００による一連の処理の流れの一例を示すフローチャートである。
【００３５】
まず、外界認識部１０１は、カメラ１０、レーダ装置１２、およびファインダ１４から直接的に、或いは物体認識装置１６を介して入力される情報に基づいて、監視車両の「状態」を認識する（ステップＳ１００）。監視車両とは、一又は複数の周辺車両のうち、自車両Ｍに対する影響の度合いが大きく、且つ所定数（例えば３台）以下の周辺車両である。「自車両Ｍに対する影響の度合いが大きい」とは、例えば、監視車両による加減速や操舵に応じて、自車両Ｍの加減速や操舵の制御量が大きくなることを意味する。監視車両は、例えば、自車両Ｍの直前を走行する前走車両と、自車両Ｍが走行する自車線に隣接する隣接車線において、自車両Ｍの前方を走行する車両、または自車両Ｍと並走する車両とを含む。
【００３６】
例えば、外界認識部１０１は、監視車両の「状態」として、監視車両の位置、速度、加速度、ジャーク等を認識する。例えば、外界認識部１０１は、監視車両が走行する車線を区画する道路区画線に対する監視車両の相対的な位置を認識する。監視車両の位置は、その監視車両の重心やコーナー等の代表点で表されてもよいし、監視車両の輪郭で表現された領域で表されてもよい。また、外界認識部１０１は、監視車両の「状態」として、監視車両に搭載されたヘッドランプや、テールランプ、ウィンカー（ターンランプ）等の各種ランプの点灯或いは点滅を認識してもよい。
【００３７】
次に、予測導出部１０２は、外界認識部１０１により状態が認識された監視車両の将来の行動を予測する（ステップＳ１０２）。例えば、予測導出部１０２は、隣接車線を走行する監視車両の各種ランプの点灯または点滅に応じて、将来、監視車両が現在の車線から自車線に車線変更する（自車線に割り込んでくる）のかどうかを予測したり、監視車両が現在の車線から自車線側でない車線に車線変更するのかどうかを予測したりする。
【００３８】
また、予測導出部１０２は、監視車両の各種ランプの点灯等の有無に依らずに、監視車両と、当該監視車両が走行する車線との相対的な位置に基づいて、車線変更するのかどうかを予測してもよい。監視車両と車線との相対的な位置に基づく予測の詳細については後述する。
【００３９】
また、予測導出部１０２は、例えば、外界認識部１０１により状態が認識された時点での監視車両の速度、加減速、またはジャーク等に基づいて、将来、監視車両が減速するのかどうか、または加速するのかどうかを予測する。
【００４０】
また、予測導出部１０２は、監視車両を除く他の周辺車両の速度や位置等に基づいて、将来、監視車両が加減速するのか、または車線変更するのかどうかを予測してもよい。
【００４１】
次に、予測導出部１０２は、監視車両によって予測した行動がとられる場合の確率（以下、生起確率と称する）を導出する（ステップＳ１０４）。例えば、予測導出部１０２は、監視車両の基準点（例えば、重心等）を中心とした方位ごとに、予測した行動の生起確率を導出する。生起確率は、「将来の行動がとられる可能性を定量化した指標値」の一例である。
【００４２】
図３は、監視車両の基準点を中心とした方位を所定角度ごとに区画したときの生起確率（方位角ごとの生起確率）の一例を示す図である。図中の「上」は、監視車両の進行方向に関して、監視車両と自車両Ｍとの相対距離が増加する方位を示し、「下」は、監視車両の進行方向に関して、監視車両と自車両Ｍとの相対距離が減少する方位を示している。また、「右」は、監視車両の進行方向に関して右側の方位を示し、「左」は、監視車両の進行方向に関して左側の方位を示している。
【００４３】
次に、表示制御部１０３は、表示装置３０ａを制御して、予測導出部１０２により導出された生起確率を表現した画像要素を監視車両の周囲に配置した画像を表示させる（ステップＳ１０６）。例えば、表示制御部１０３は、各方位の生起確率を表現した画像要素として、図４に示すような生起確率に基づく分布曲線ＤＬを監視車両の周囲に配置した画像を、表示装置３０ａに表示させる。
【００４４】
図４は、表示装置３０ａに表示される画像の一例を示す図である。図中Ｌ１は、自車線を表し、Ｌ２は、自車両Ｍの進行方向右側の隣接車線（以下、右隣車線と称す）を表し、Ｌ３は、自車両Ｍの進行方向左側の隣接車線（以下、左隣車線と称す）を表している。また、図中ｍａは前走車両を表し、ｍｂは右隣車線を走行する監視車両を表し、ｍｃは左隣車線を走行する監視車両を表している。
【００４５】
例えば、表示制御部１０３は、表示装置３０ａを制御して、各監視車両の周囲に、生起確率の分布を示す分布曲線ＤＬを監視車両の周囲に配置した画像を表示させる。分布曲線ＤＬと監視車両との間隔が狭いほど、その方位で予測された行動が生じにくく（生起確率が低く）、間隔が広いほど、その方位で予測された行動が生じやすい（生起確率が高い）ことを表している。すなわち、分布曲線ＤＬは、生起確率が変化するのに対して段階的または連続的に表現態様が変更されるものであり、予測された行動を起こした場合に監視車両が移動する方向（方位）ごとに、その行動の生起確率の大きさを曲線の形状で表現したものである。
【００４６】
例えば、前走車両ｍａがブレーキを掛けるなどして減速した場合、自車両Ｍに対する前走車両ｍａの相対位置が自車両Ｍに近づくため、図示のように、前走車両ｍａの周囲の分布曲線ＤＬは、前走車両ｍａの後部側の領域ほど前走車両ｍａとの間隔が広がった状態で表示される。また、例えば、右隣車線Ｌ２を走行する監視車両ｍｂが自車線Ｌ１に車線変更することが予測された場合、図示のように、監視車両ｍｂの周囲の分布曲線ＤＬは、監視車両ｍｂの左側面の領域ほど監視車両ｍｂとの間隔が広がった形状で表示される。これによって、自車両Ｍの乗員に対して、直感的に周辺車両の将来の行動を認識させることができる。
【００４７】
図５は、方位角ごとの生起確率について、より具体的に説明するための図である。例えば、予測導出部１０２は、外界認識部１０１により認識された、道路区画線に対する監視車両の相対的な位置に基づいて、車線幅方向における監視車両の行動を予測し、その予測した行動の生起確率を導出する。図中ＣＬは、自車線Ｌ１と、右隣車線Ｌ２とを区画する道路区画線を表し、Ｇは、監視車両ｍｂの重心を表している。
【００４８】
例えば、図中（ａ）における道路区画線ＣＬと重心Ｇとの距離ΔＷ１と、図中（ｂ）における道路区画線ＣＬと重心Ｇとの距離ΔＷ２とを比較すると、距離ΔＷ２の方が短いことがわかる。この場合、（ａ）に示す状況に比して（ｂ）に示す状況の方が、監視車両ｍｂがより自車線Ｌ１に車線変更する可能性が高いと判断することができる。従って、予測導出部１０２は、監視車両ｍｂによる各種ランプの点灯等の有無に関わらずに、（ａ）に示す状況に比して（ｂ）に示す状況の方が、高い確率で監視車両ｍｂが車線変更すると予測する。言い換えれば、予測導出部１０２は、（ａ）に示す状況に比して（ｂ）に示す状況の方が、車線幅方向（監視車両ｍｂが自車線Ｌ１に接近する方向）における行動の生起確率をより高く導出する。なお、予測導出部１０２は、監視車両による各種ランプの点灯等があれば、さらに生起確率を高く導出してもよい。図示の例では、監視車両ｍｂが自車線Ｌ１に接近する方向における生起確率は、（ａ）の状況では０．４０として導出され、（ｂ）の状況では０．７０として導出されている。これらの生起確率は、図示のように分布曲線ＤＬと共に表示されてもよいし、単独で表示されてもよい。これによって、（ｂ）における分布曲線ＤＬの方が、車線幅方向における監視車両ｍｂとの間隔が広くなり、自車両Ｍの乗員に対して、より自車両Ｍに近づいてくることが予測される周辺車両ほど注意を促すように仕向けることができる。
【００４９】
図６は、方位角ごとの生起確率について、より具体的に説明するための図である。例えば、予測導出部１０２は、外界認識部１０１により認識された監視車両の速度と、車両センサ４０により検出された自車両Ｍの速度とに基づいて、車両進行方向における監視車両の行動を予測し、その予測した行動の生起確率を導出する。図中ＶＭは、自車両Ｍの速度の大きさを表し、Ｖｍａ１およびＶｍａ２は、前走車両ｍａの速度の大きさを表している。
【００５０】
例えば、図中（ａ）の状況における相対速度（Ｖｍａ１−ＶＭ）と、図中（ｂ）の状況における相対速度（Ｖｍａ２−ＶＭ）とを比較すると、相対速度（Ｖｍａ２−ＶＭ）の方が小さいことがわかる。この場合、（ａ）に示す状況に比して（ｂ）に示す状況の方が、将来の時点で、前走車両ｍａとの車間距離が狭くなる可能性が高いと判断することができる。従って、予測導出部１０２は、（ａ）に示す状況に比して（ｂ）に示す状況の方が、高い確率で監視車両ｍｂが減速すると予測する。言い換えれば、予測導出部１０２は、（ａ）に示す状況に比して（ｂ）に示す状況の方が、車両進行方向（前走車両ｍａが自車両Ｍに接近する方向）における行動の生起確率をより高く導出する。図示の例では、前走車両ｍａが自車両Ｍに接近する方向における生起確率は、（ａ）の状況では０．３０として導出され、（ｂ）の状況では０．８０として導出されている。これによって、（ｂ）における分布曲線ＤＬの方が、車両進行方向における前走車両ｍａとの間隔が広くなるため、自車両Ｍの乗員に対して、より自車両Ｍに近づいてくることが予測される周辺車両ほど注意を促すように仕向けることができる。
【００５１】
なお、予測導出部１０２は、監視車両と自車両Ｍとの相対速度に代えて、或いは加えて、監視車両と自車両Ｍとの間の車間距離、または相対的な加減速度に基づいて、車両進行方向における監視車両の行動を予測し、その予測した行動の生起確率を導出してもよい。
【００５２】
また、予測導出部１０２は、監視車両が走行する車線の状況に基づいて、車両進行方向または車線幅方向における監視車両の行動を予測し、その予測した行動の生起確率を導出してもよい。
【００５３】
図７は、車線の状況に基づいて監視車両の行動を予測する場面において、表示装置３０ａに表示される画像の一例を示す図である。図中Ａは、右隣車線Ｌ２において車線が減少し、他車線に合流する必要のある地点（以下、合流地点と称する）を表している。例えば、外界認識部１０１は、合流地点Ａの情報が含まれる地図情報を参照することで、当該合流地点Ａを認識してもよいし、カメラ１０により撮像された画像から認識される道路区画線のパターンから当該合流地点Ａを認識してもよい。また、道路の交通状況を通知するための無線機器が道路の路側等に設けられており、通信装置２０がこの無線機器と無線通信する場合、外界認識部１０１は、通信装置２０を介して無線機器により送信される情報を取得することで、合流地点Ａを認識してもよい。
【００５４】
このとき、外界認識部１０１または予測導出部１０２は、例えば、自車両Ｍが走行している車線（走行車線）、並びに走行車線に対する自車両Ｍの相対位置および姿勢を認識してよい。
【００５５】
予測導出部１０２は、外界認識部１０１により監視車両ｍｂが走行する車線の前方に合流地点Ａが存在することが認識された場合、高い確率で監視車両ｍｂが自車線Ｌ１に車線変更すると予測する。この際、予測導出部１０２は、車線変更に合わせて監視車両ｍｂが加速または減速すると予測してもよい。これによって、例えば、監視車両ｍｂがウィンカーなどを点灯させていない状態であっても、監視車両ｍｂの行動を先読みし、将来行われるであろう行動を生起確率の分布曲線ＤＬの形状で表現することができる。
【００５６】
なお、外界認識部１０１は、合流地点Ａの代わりに、分岐地点や、事故発生地点、料金所のような監視車両の進行を妨げるような地点について認識してもよい。これを受けて、予測導出部１０２は、監視車両の進行を妨げるような地点の手前において、監視車両が車線変更したり加減速したりすると予測してよい。
【００５７】
また、予測導出部１０２は、外界認識部１０１により認識された監視車両の将来の行動が、自車両Ｍに対する影響の度合いが基準値よりも高い行動であるのか、或いは基準値よりも低い行動であるのかを判定してもよい。
【００５８】
図８は、表示装置３０ａに表示される画像の他の例を示す図である。図示の状況は、前走車両ｍａが、前方の車両ｍｄを追い抜こうとしている状況を表している。例えば、前走車両ｍａが、前方の車両ｍｄを追い抜こうとして車線のいずれか片側に寄った場合、カメラ１０により撮像された画像上において前走車両ｍａに隠れて認識されていなかった車両ｍｄが、あるタイミングで認識されることになる。このとき、予測導出部１０２は、車両ｍｄを追い抜くために、前走車両ｍａが一旦隣接車線に車線変更すると予測する。すなわち、予測導出部１０２は、前走車両ｍａの行動として「隣接車線への車線変更」および「加速または減速」を予測する。前走車両ｍａの「減速」については、自車両Ｍに対して前走車両ｍａが相対的に接近する行動であるため、予測導出部１０２は、前走車両ｍａによる当該行動を、自車両Ｍに対する影響の度合いが基準値よりも高い行動であると判定する。前走車両ｍａが自車両Ｍに対して相対的に近づく方向は、「自車両に対する影響の度合が基準値よりも高い方向」の一例である。
【００５９】
また、前走車両ｍａの「加速」や「隣接車線への車線変更」については、前走車両ｍａが自車両Ｍから相対的に遠ざかる行動であるため、予測導出部１０２は、前走車両ｍａによる当該行動を、自車両Ｍに対する影響の度合いが基準値よりも低い行動であると判定する。前走車両ｍａが自車両Ｍから相対的に遠ざかる方向は、「自車両に対する影響の度合が基準値よりも低い方向」の一例である。
【００６０】
また、前走車両ｍａの速度が自車両Ｍと等速である場合、この前走車両ｍａによる行動は、自車両Ｍに対する影響の度合いが基準値程度の行動であると判定される。
【００６１】
これを受けて、表示制御部１０３は、監視車両による行動の自車両Ｍに対する影響の度合いに応じて、表示態様を変更する。図示の例では、「加速または減速」によって前走車両ｍａが相対的に移動する方向に対応する確率分布の領域Ｒａと、「車線変更」によって前走車両ｍａが相対的に移動する方向に対応する確率分布の領域Ｒｂとを、色や模様等で区別して表示している。この結果、自車両Ｍの乗員に対して、周辺車両の将来の行動によって自車両Ｍに及ぼされる影響の度合い（例えば安全であるのか危険であるのか等）を直感的に認識させることができる。
【００６２】
また、表示制御部１０３は、上述した生起確率の分布曲線ＤＬを表す画像を、ＨＵＤによりフロントウインドシールドに投影してもよい。図９は、フロントウインドシールドに投影される画像の一例を示す図である。図示のように、例えば、前走車両などの車体影に合わせて、フロントウインドシールドに分布曲線ＤＬが投影されてよい。
【００６３】
また、上述した種々の例では、表示制御部１０３は、監視車両の将来の行動の生起確率を、その将来の行動により監視車両が移動する方向（方位）ごとの分布として表した分布曲線ＤＬを表示するものとしたがこれに限られない。例えば、表示制御部１０３は、監視車両の将来の行動の生起確率を、特定の記号や図形等で表してもよい。
【００６４】
図１０は、表示装置３０ａに表示される画像の他の例を示す図である。図示の例のように、表示制御部１０３は、予測導出部１０２により予測された将来の行動の生起確率の高さと、その行動により監視車両が移動する方向とを、三角形Ｄの向きおよび数によって表現している。例えば、（ａ）に示す場面に比べて（ｂ）に示す場面の方が、右隣車線Ｌ２を走行する監視車両ｍｂが合流地点Ａに近くなり、より車線変更する確率が高まる。従って、表示制御部１０３は、三角形Ｄの数を増やすなどして、自車両Ｍの乗員に対して、予測された行動がどの程度生じやすいのかを認識させる。なお、表示制御部１０３は、予測された将来の行動の生起確率が最も高い方向（方位）についてのみ、特定の記号や図形等を表示させてもよいし、記号や図形等を点滅させながら表示させてもよい。
【００６５】
また、上述した実施形態では、予測導出部１０２は、外界認識部１０１による認識結果に基づいて、監視車両の将来の行動を予測するものとして説明したがこれに限られない。例えば、通信装置２０により監視車両との間で車車間通信が行われる場合、予測導出部１０２は、車車間通信により監視車両から将来の行動予定に関する情報を受信し、受信した情報に基づいて監視車両の将来の行動を予測してもよい。また、監視車両から各種サーバ装置に将来の行動予定に関する情報がアップロードされる場合、予測導出部１０２は、通信装置２０を介して当該サーバ装置と通信を行い、将来の行動予定に関する情報を取得してもよい。
【００６６】
また、上述した実施形態では、単に、行動の生起確率に基づく画像要素を配置した画像を、監視車両の周囲に配置した画像を表示するものとして説明したがこれに限られない。例えば、表示制御部１０３は、生起確率だけでなく、その時点での監視車両の変位量を、将来のある時点における想定変位量として確率に乗算或いは加算し、その演算結果を上記実施形態の「確率」として扱ってもよい。将来のある時点における想定変位量は、例えば、予測時点における監視車両のジャークや加速度等から求めたモデルに基づいて推定してよい。
【００６７】
図１１は、監視車両の基準点を中心とした方位を所定角度ごとに区画したときの生起確率の他の例を示す図である。図の例では、生起確率と将来のある時点における想定変位量との乗算結果を、分布曲線ＤＬを表示する際の「確率」として扱っている。この場合、演算結果である「確率」は１を超えてもよい。
【００６８】
以上、説明した第１実施形態によれば、自車両Ｍの周辺に存在する監視車両による将来の行動を予測し、予測した将来の行動がとられ得る生起確率を導出し、生起確率に基づく画像要素を監視車両の周囲に配置した画像を表示装置３０ａに表示させることにより、自車両Ｍの乗員に安心感を与えることができる。例えば、生起確率に基づく画像要素として、監視車両の将来の行動の生起確率を、その将来の行動により監視車両が移動する方向（方位）ごとの分布として表した分布曲線ＤＬを表示することにより、自車両Ｍの乗員に対して、直感的に周辺車両の将来の行動を認識させることができる。
【００６９】
＜第２実施形態＞
以下、第２実施形態について説明する。第１実施形態では、単に車両に搭載された表示制御装置であるものとして説明したが、第２実施形態では、自動運転車両に適用された例について説明する。以下、第１実施形態との相違点を中心に説明し、第１実施形態と共通する機能等についての説明は省略する。
【００７０】
図１２は、第２実施形態における車両システム１Ａの構成図である。第２実施形態における車両システム１Ａは、例えば、上述したカメラ１０、レーダ装置１２、ファインダ１４、物体認識装置１６、通信装置２０、表示装置３０ａを含むＨＭＩ３０、および車両センサ４０の他に、ナビゲーション装置５０と、ＭＰＵ（Micro-Processing Unit）６０と、運転操作子８０と、走行駆動力出力装置２００と、ブレーキ装置２１０と、ステアリング装置２２０と、自動運転制御ユニット３００とを備える。これらの装置や機器は、ＣＡＮ通信線等の多重通信線やシリアル通信線、無線通信網等によって互いに接続される。なお、図１２に示す構成はあくまで一例であり、構成の一部が省略されてもよいし、更に別の構成が追加されてもよい。
【００７１】
ナビゲーション装置５０は、例えば、ＧＮＳＳ（Global Navigation Satellite System）受信機５１と、ナビＨＭＩ５２と、経路決定部５３とを備え、ＨＤＤ（Hard Disk Drive）やフラッシュメモリなどの記憶装置に第１地図情報５４を保持している。ＧＮＳＳ受信機５１は、ＧＮＳＳ衛星から受信した信号に基づいて、自車両Ｍの位置を特定する。自車両Ｍの位置は、車両センサ４０の出力を利用したＩＮＳ（Inertial Navigation System）によって特定または補完されてもよい。ナビＨＭＩ５２は、表示装置、スピーカ、タッチパネル、キーなどを含む。ナビＨＭＩ５２は、前述したＨＭＩ３０と一部または全部が共通化されてもよい。経路決定部５３は、例えば、ナビＨＭＩ５２を用いて、ＧＮＳＳ受信機５１により特定された自車両Ｍの位置（或いは入力された任意の位置）から、乗員により入力された目的地までの経路を、第１地図情報５４を参照して決定する。第１地図情報５４は、例えば、道路を示すリンクと、リンクによって接続されたノードとによって道路形状が表現された情報である。第１地図情報５４は、道路の曲率やＰＯＩ（Point Of Interest）情報などを含んでもよい。経路決定部５３により決定された経路は、ＭＰＵ６０に出力される。また、ナビゲーション装置５０は、経路決定部５３により決定された経路に基づいて、ナビＨＭＩ５２を用いた経路案内を行ってもよい。なお、ナビゲーション装置５０は、例えば、ユーザの保有するスマートフォンやタブレット端末等の端末装置の機能によって実現されてもよい。また、ナビゲーション装置５０は、通信装置２０を介してナビゲーションサーバに現在位置と目的地を送信し、ナビゲーションサーバから返信された経路を取得してもよい。
【００７２】
ＭＰＵ６０は、例えば、推奨車線決定部６１として機能し、ＨＤＤやフラッシュメモリなどの記憶装置に第２地図情報６２を保持している。推奨車線決定部６１は、ナビゲーション装置５０から提供された経路を複数のブロックに分割し（例えば、車両進行方向に関して１００［ｍ］毎に分割し）、第２地図情報６２を参照してブロックごとに推奨車線を決定する。例えば、推奨車線決定部６１は、ナビゲーション装置５０から提供された経路において複数の車線が存在する場合、複数の車線の中から一つの推奨車線を決定する。推奨車線決定部６１は、提供された経路において分岐箇所や合流箇所などが存在する場合、自車両Ｍが、分岐先に進行するための合理的な走行経路を走行できるように、推奨車線を決定する。
【００７３】
第２地図情報６２は、第１地図情報５４よりも高精度な地図情報である。第２地図情報６２は、例えば、車線の中央の情報あるいは車線の境界の情報等を含んでいる。また、第２地図情報６２には、道路情報、交通規制情報、住所情報（住所・郵便番号）、施設情報、電話番号情報などが含まれてよい。道路情報には、高速道路、有料道路、国道、都道府県道といった道路の種別を表す情報や、道路の車線数、各車線の幅員、道路の勾配、道路の位置（経度、緯度、高さを含む３次元座標）、車線のカーブの曲率、車線の合流および分岐箇所の位置、道路に設けられた標識等の情報が含まれる。第２地図情報６２は、通信装置２０を用いて他装置にアクセスすることにより、随時、アップデートされてよい。
【００７４】
運転操作子８０は、例えば、アクセルペダルや、ブレーキペダル、シフトレバー、ステアリングホイール等を含む。運転操作子８０には、操作量あるいは操作の有無を検出するセンサが取り付けられており、その検出結果は、自動運転制御ユニット３００、もしくは、走行駆動力出力装置２００、ブレーキ装置２１０、およびステアリング装置２２０のうち一方または双方に出力される。
【００７５】
走行駆動力出力装置２００は、車両が走行するための走行駆動力（トルク）を駆動輪に出力する。走行駆動力出力装置２００は、例えば、内燃機関、電動機、および変速機などの組み合わせと、これらを制御するＥＣＵとを備える。ＥＣＵは、走行制御部３４１から入力される情報、或いは運転操作子８０から入力される情報に従って、上記の構成を制御する。
【００７６】
ブレーキ装置２１０は、例えば、ブレーキキャリパーと、ブレーキキャリパーに油圧を伝達するシリンダと、シリンダに油圧を発生させる電動モータと、ブレーキＥＣＵとを備える。ブレーキＥＣＵは、走行制御部３４１から入力される情報、或いは運転操作子８０から入力される情報に従って電動モータを制御し、制動操作に応じたブレーキトルクが各車輪に出力されるようにする。ブレーキ装置２１０は、運転操作子８０に含まれるブレーキペダルの操作によって発生させた油圧を、マスターシリンダを介してシリンダに伝達する機構をバックアップとして備えてよい。なお、ブレーキ装置２１０は、上記説明した構成に限らず、走行制御部３４１から入力される情報に従ってアクチュエータを制御して、マスターシリンダの油圧をシリンダに伝達する電子制御式油圧ブレーキ装置であってもよい。
【００７７】
ステアリング装置２２０は、例えば、ステアリングＥＣＵと、電動モータとを備える。電動モータは、例えば、ラックアンドピニオン機構に力を作用させて転舵輪の向きを変更する。ステアリングＥＣＵは、走行制御部３４１から入力される情報、或いは運転操作子８０から入力される情報に従って、電動モータを駆動し、転舵輪の向きを変更させる。
【００７８】
自動運転制御ユニット３００は、例えば、第１制御部３２０と、第２制御部３４０と、第３制御部３５０とを備える。第１制御部３２０、第２制御部３４０、および第３制御部３５０は、それぞれ、ＣＰＵなどのプロセッサがプログラム（ソフトウェア）を実行することで実現される。また、以下に説明する第１制御部３２０、第２制御部３４０、および第３制御部３５０の構成要素のうち一部または全部は、ＬＳＩやＡＳＩＣ、ＦＰＧＡなどのハードウェアによって実現されてもよいし、ソフトウェアとハードウェアの協働によって実現されてもよい。
【００７９】
第１制御部３２０は、例えば、外界認識部３２１と、自車位置認識部３２２と、行動計画生成部３２３とを備える。外界認識部３２１は、上述した第１実施形態における外界認識部１０１と同様の処理を行うため、ここでは説明を省略する。
【００８０】
自車位置認識部３２２は、例えば、自車両Ｍが走行している車線（走行車線）、並びに走行車線に対する自車両Ｍの相対位置および姿勢を認識する。自車位置認識部３２２は、例えば、第２地図情報６２から得られる道路区画線のパターン（例えば実線と破線の配列）と、カメラ１０によって撮像された画像から認識される自車両Ｍの周辺の道路区画線のパターンとを比較することで、走行車線を認識する。この認識において、ナビゲーション装置５０から取得される自車両Ｍの位置やＩＮＳによる処理結果が加味されてもよい。
【００８１】
そして、自車位置認識部３２２は、例えば、走行車線に対する自車両Ｍの位置や姿勢を認識する。図１３は、自車位置認識部３２２により走行車線Ｌ１に対する自車両Ｍの相対位置および姿勢が認識される様子を示す図である。自車位置認識部３２２は、例えば、自車両Ｍの基準点（例えば重心）の走行車線中央ＣＬからの乖離ＯＳ、および自車両Ｍの進行方向の走行車線中央ＣＬを連ねた線に対してなす角度θを、走行車線Ｌ１に対する自車両Ｍの相対位置および姿勢として認識する。なお、これに代えて、自車位置認識部１４０は、自車線Ｌ１のいずれかの側端部に対する自車両Ｍの基準点の位置などを、走行車線に対する自車両Ｍの相対位置として認識してもよい。自車位置認識部３２２により認識される自車両Ｍの相対位置は、推奨車線決定部６１および行動計画生成部３２３に提供される。
【００８２】
行動計画生成部３２３は、推奨車線決定部６１により決定された推奨車線を走行するように、且つ、自車両Ｍの周辺状況に対応できるように、自動運転において順次実行されるイベントを決定する。自動運転とは、自車両Ｍの加減速または操舵の少なくとも一方を、自動運転制御ユニット３００が制御することをいう。イベントには、例えば、一定速度で同じ走行車線を走行する定速走行イベント、前走車両に追従する追従走行イベント、車線変更イベント、合流イベント、分岐イベント、緊急停止イベント、自動運転を終了して手動運転に切り替えるための切替イベント（テイクオーバーイベント）などがある。また、これらのイベントの実行中に、自車両Ｍの周辺状況（周辺車両や歩行者の存在、道路工事による車線狭窄など）に基づいて、回避のための行動が計画される場合もある。
【００８３】
行動計画生成部３２３は、自車両Ｍが将来走行する目標軌道を生成する。目標軌道は、自車両Ｍの到達すべき地点（軌道点）を順に並べたものとして表現される。軌道点は、所定の走行距離ごとの自車両Ｍの到達すべき地点であり、それとは別に、所定のサンプリング時間（例えば０コンマ数［ｓｅｃ］程度）ごとの目標速度および目標加速度が、目標軌道の一部として生成される。また、軌道点は、所定のサンプリング時間ごとの、そのサンプリング時刻における自車両Ｍの到達すべき位置であってもよい。この場合、目標速度や目標加速度の情報は軌道点の間隔で表現される。
【００８４】
図１４は、推奨車線に基づいて目標軌道が生成される様子を示す図である。図示するように、推奨車線は、目的地までの経路に沿って走行するのに都合が良いように設定される。行動計画生成部３２３は、推奨車線の切り替わり地点の所定距離手前（イベントの種類に応じて決定されてよい）に差し掛かると、車線変更イベント、分岐イベント、合流イベントなどを起動する。各イベントの実行中に、障害物を回避する必要が生じた場合には、図示するように回避軌道が生成される。
【００８５】
行動計画生成部３２３は、例えば、目標軌道の候補を複数生成し、安全性と効率性の観点に基づいて、その時点での最適な目標軌道を選択する。
【００８６】
第２制御部３４０は、走行制御部３４１を備える。走行制御部３４１は、行動計画生成部３２３によって生成された目標軌道を、予定の時刻通りに自車両Ｍが通過するように、走行駆動力出力装置２００並びにブレーキ装置２１０と、ステアリング装置２２０との一方または双方を制御する。
【００８７】
第３制御部３５０は、予測導出部３５１と、表示制御部３５２とを備える。予測導出部３５１および表示制御部３５２は、上述した第１実施形態の予測導出部１０２および表示制御部１０３と同様の処理を行う。予測導出部３５１は、予測した監視車両の将来の行動の生起確率と、その将来の行動により監視車両が移動する方向（方位）とに関する情報（例えば、上述した図３や図１１に示す情報など）を行動計画生成部３２３に出力する。これを受けて、行動計画生成部３２３は、予測導出部３５１により予測された監視車両の将来の行動の生起確率と、その行動により監視車両が移動する方向とに基づいて、目標軌道を再生成する。
【００８８】
図１５は、予測導出部３５１による予測結果に基づいて目標軌道を生成する様子の一例を示す図である。例えば、図中（ａ）のように、行動計画生成部３２３が定速走行イベントとして一定の間隔で軌道点を配置して目標軌道を生成した場合に、予測導出部３５１によって監視車両ｍｂが自車線Ｌ１に車線変更しようとしていることが予測されたとする。このとき、図中（ｂ）のように、行動計画生成部３２３は、軌道点の配置間隔を、（ａ）のときの軌道点の配置間隔に比して狭めた目標軌道を再生成する。これによって、自車両Ｍは、監視車両ｍｂの割り込みに備えて事前に減速しておくことができる。また、図中（ｃ）のように、行動計画生成部３２３は、軌道点の配置を自車線Ｌ１の左隣の車線Ｌ３に変更した目標軌道を再生成してもよい。これによって、自車両Ｍは、監視車両ｍｂが前方に割込んでくる前に他の車線へと逃げることができる。
【００８９】
以上説明した第２実施形態によれば、上述した第１実施形態と同様に、表示装置３０ａに、生起確率に基づく画像要素を監視車両の周囲に配置した画像を表示させることにより、自車両Ｍの乗員に安心感を与えることができる。
【００９０】
また、第２実施形態によれば、自動運転制御ユニット３００が予測した監視車両の将来の行動に基づいて自動運転を行うと共に、監視車両の将来の行動の生起確率に基づく画像を表示するため、自車両Ｍの乗員は、周辺車両の行動と、自動運転時の自車両Ｍの行動との因果関係を把握することができる。この結果、自車両Ｍの乗員に更に安心感を与えることができる。
【００９１】
以上、本発明を実施するための形態について実施形態を用いて説明したが、本発明はこうした実施形態に何等限定されるものではなく、本発明の要旨を逸脱しない範囲内において種々の変形及び置換を加えることができる。
【符号の説明】
【００９２】
１、１Ａ‥車両システム、１０…カメラ、１２…レーダ装置、１４…ファインダ、１６…物体認識装置、２０…通信装置、３０…ＨＭＩ、３０ａ…表示装置、４０…車両センサ、５０…ナビゲーション装置、５１…ＧＮＳＳ受信機、５２…ナビＨＭＩ、５３…経路決定部、５４…第１地図情報、６０…ＭＰＵ、６１…推奨車線決定部、６２…第２地図情報、８０…運転操作子、１００…車両用表示制御装置、１０１…外界認識部、１０２、３５１…予測導出部、１０３、３５２…表示制御部、２００…走行駆動力出力装置、２１０…ブレーキ装置、２２０…ステアリング装置、３００…自動運転制御ユニット、３２０…第１制御部、３２１…外界認識部、３２２…自車位置認識部、３２３…行動計画生成部、３４０…第２制御部、３４１…走行制御部、３５０…第３制御部
【図１】
2018096644.tif 000003
【図２】
2018096644.tif 000004
【図３】
2018096644.tif 000005
【図４】
2018096644.tif 000006
【図５】
2018096644.tif 000007
【図６】
2018096644.tif 000008
【図７】
2018096644.tif 000009
【図８】
2018096644.tif 000010
【図９】
2018096644.tif 000011
【図１０】
2018096644.tif 000012
【図１１】
2018096644.tif 000013
【図１２】
2018096644.tif 000014
【図１３】
2018096644.tif 000015
【図１４】
2018096644.tif 000016
【図１５】
2018096644.tif 000017
【手続補正書】
【提出日】平成30年3月20日(2018.3.20)
【手続補正１】
【補正対象書類名】特許請求の範囲
【補正対象項目名】全文
【補正方法】変更
【補正の内容】
【特許請求の範囲】
【請求項１】
自車両の周辺に存在する周辺車両の将来の行動を予測し、前記予測した将来の行動がとられる可能性を定量化した指標値を導出する予測導出部と、
前記予測導出部により導出された前記周辺車両ごとの将来の行動がとられる可能性を定量化した指標値に基づく画像要素を前記周辺車両に対応付けた画像を、表示部に表示させる表示制御部と、を備え、
前記表示制御部は、前記予測導出部により導出された周辺車両ごとの将来の行動に対応した前記指標値が変化するのに対して段階的または連続的に、前記画像要素の表現態様を変更する、
車両用表示制御装置。
【請求項２】
前記予測導出部は、前記周辺車両の複数の将来の行動を予測し、前記予測した複数の将来の行動ごとに前記指標値を導出し、
前記表示制御部は、前記予測導出部により導出された前記周辺車両の将来の行動ごとの指標値に基づく画像要素を前記周辺車両に対応付けた画像を、前記表示部に表示させる、
請求項１記載の車両用表示制御装置。
【請求項３】
前記表示制御部は、前記周辺車両の複数の将来の行動のうち、前記自車両に対する影響の度合が基準値よりも低い方向の行動と、前記自車両に対する影響の度合が前記基準値よりも高い方向の行動とで、対応する前記画像要素の表現態様を変更する、
請求項２記載の車両用表示制御装置。
【請求項４】
前記表示制御部は、前記周辺車両の複数の将来の行動のうち、前記自車両に対する影響の度合が基準値よりも高い方向の行動に対応した前記指標値に基づく画像要素を前記周辺車両に対応付けた画像を、前記表示部に表示させる、
請求項２記載の車両用表示制御装置。
【請求項５】
前記表示制御部は、更に、前記周辺車両の複数の将来の行動のうち、前記自車両に対する影響の度合が前記基準値よりも低い方向の行動に対応した前記指標値に基づく画像要素を前記周辺車両に対応付けた画像を、前記表示部に表示させる、
請求項４記載の車両用表示制御装置。
【請求項６】
前記自車両に対する影響の度合が前記基準値よりも高い方向の行動は、前記周辺車両が前記自車両に対して相対的に接近する行動である、
請求項３記載の車両用表示制御装置。
【請求項７】
前記自車両に対する影響の度合が前記基準値よりも高い方向の行動は、前記周辺車両が前記自車両の前方に割り込む行動である、
請求項３記載の車両用表示制御装置。
【請求項８】
（削除）
【請求項９】
前記予測導出部は、前記自車両に対する影響の度合いが基準値よりも大きい周辺車両について、将来の行動を予測する、
請求項１記載の車両用表示制御装置。
【請求項１０】
前記自車両に対する影響の度合いが基準値よりも大きい周辺車両は、
前記自車両の直前を走行する前走車両と、
前記自車両が走行する車線に隣接する車線において、前記自車両の前方を走行する車両、または前記自車両と並走する車両と、
のうち少なくともいずれかの車両を含む、
請求項９に記載の車両用表示制御装置。
【請求項１１】
前記予測導出部は、前記自車両と前記周辺車両との相対速度、前記自車両と前記周辺車両との間の車間距離、または前記周辺車両の加減速度に基づいて、前記指標値を導出する、
請求項１記載の車両用表示制御装置。
【請求項１２】
前記予測導出部は、前記周辺車両が走行する車線の状況に基づいて、前記指標値を導出する、
請求項１記載の車両用表示制御装置。
【請求項１３】
表示部を備えた車両に搭載された車載コンピュータが、
自車両の周辺に存在する周辺車両の将来の行動を予測し、
前記予測した将来の行動がとられる可能性を定量化した指標値を導出し、
前記導出した前記周辺車両ごとの将来の行動がとられる可能性を定量化した指標値に基づく画像要素を前記周辺車両に対応付けた画像を、前記表示部に表示させ、
前記導出した周辺車両ごとの将来の行動に対応した前記指標値が変化するのに対して段階的または連続的に、前記画像要素の表現態様を変更する、
車両用表示制御方法。
【請求項１４】
表示部を備えた車両に搭載された車載コンピュータに、
自車両の周辺に存在する周辺車両の将来の行動を予測する処理と、
前記予測した将来の行動がとられる可能性を定量化した指標値を導出する処理と、
前記導出した前記周辺車両ごとの将来の行動がとられる可能性を定量化した指標値に基づく画像要素を前記周辺車両に対応付けた画像を、前記表示部に表示させる処理と、
前記導出した周辺車両ごとの将来の行動に対応した前記指標値が変化するのに対して段階的または連続的に、前記画像要素の表現態様を変更する処理と、
を実行させる車両用表示制御プログラム。
【国際調査報告】
2018096644.tif 000018
2018096644.tif 000019